(57)【特許請求の範囲】
【請求項１】
自己の動作に係る自装置音声を出力する音声出力集約装置であって、前記自装置音声とは異なる他装置音声を出力する１又は複数の音声出力装置が置かれた所定空間内に配設される音声出力集約装置において、
前記音声出力装置と接続され、前記音声出力装置との間で各種信号を送受信するための通信手段と、
前記通信手段を介して、前記音声出力装置によって出力される前記他装置音声に係る他装置音声情報を収集する音声情報収集手段と、
前記自装置音声及び前記音声情報収集手段によって収集された前記他装置音声情報に対応した前記他装置音声を、それぞれが重ならないように予め定められた優先順序で出力する音声出力手段と、
前記音声出力手段によって出力された前記自装置音声及び前記他装置音声の出力異常を検出する異常検出手段と、
前記異常検出手段によって前記出力異常が検出されたとき、前記音声出力手段による前記自装置音声及び前記他装置音声の出力を停止させる異常時音声出力停止手段と、
前記異常時音声出力停止手段によって前記自装置音声及び前記他装置音声の出力が停止されたとき、前記通信手段を介して、前記自装置音声を代替出力することが予め定められた前記音声出力装置に対し、前記出力が停止された前記自装置音声を出力することを要求する前記自装置音声に係る自装置音声情報を送信する異常時音声情報送信手段と、を有し、
前記異常検出手段が、マイクから入力された前記自装置音声又は前記他装置音声の変換された音声データに当該自装置音声又は当該他装置音声が正常に出力されたときの音声パターンが含まれるか否かによって、前記自装置音声及び前記他装置音声の出力異常を検出するように構成されている
ことを特徴とする音声出力集約装置。
【請求項２】
前記自装置音声情報及び前記他装置音声情報が転送されることが予め定められた前記音声出力装置を示す転送先音声出力装置情報を格納するための記憶手段と、
前記記憶手段に格納された前記転送先音声出力装置情報に基づいて、前記自装置音声情報及び前記他装置音声情報の転送先となる前記音声出力装置を判定する転送先音声出力装置判定手段と、
前記異常検出手段によって前記出力異常が検出されない場合に前記転送先音声出力装置判定手段によって前記自装置音声情報及び前記他装置音声情報の転送先となる前記音声出力装置が判定されたとき、前記音声出力手段による前記自装置音声及び前記他装置音声の出力を停止させる転送時音声出力停止手段と、
前記転送時音声出力停止手段によって前記自装置音声及び前記他装置音声の出力が停止されたとき、前記通信手段を介して、前記転送先と判定された前記音声出力装置に対し、前記自装置音声情報及び前記他装置音声情報を送信する転送時音声情報送信手段と、
を有することを特徴とする請求項１に記載の音声出力集約装置。
【請求項３】
請求項１に記載された音声出力集約装置と、
前記音声出力集約装置が出力する前記自装置音声とは異なる他装置音声を出力する音声出力装置側音声出力手段を有し且つ前記音声出力集約装置が配設された所定空間内に位置づけられた１又は複数の音声出力装置と、を有する音声連動システムであって、
前記音声出力装置が、前記音声出力集約装置と接続され且つ前記音声出力集約装置との間で各種情報を送受信する音声出力装置側通信手段と、前記音声出力集約装置との接続を検出する接続検出手段と、前記接続検出手段によって前記音声出力集約装置との接続が検出されたときに前記音声出力装置側音声出力手段による前記他装置音声の出力を停止する音声出力装置側音声出力停止手段と、前記音声出力装置側音声出力停止手段によって前記他装置音声の出力が停止されたときに前記停止された前記他装置音声に係る他装置音声情報を、前記音声出力装置側通信手段を介して、前記音声出力集約装置に送信する他装置音声情報送信手段と、前記音声出力集約装置からの前記自装置音声情報を受信する自装置音声情報受信手段と、前記自装置音声情報受信手段によって前記自装置音声情報が受信されたとき、前記音声出力装置側音声出力手段の出力を再開する出力再開手段と、を有し、
前記音声出力装置側音声出力手段が、前記他装置音声及び前記自装置音声情報受信手段によって受信された前記自装置音声情報に応じた前記自装置音声を出力するように構成されている
ことを特徴とする音声連動システム。
【発明の詳細な説明】
【技術分野】
【０００１】
自己の動作に係る音声を出力する音声出力集約装置、及び、その音声出力集約装置を備えた音声連動システムに関する。
【背景技術】
【０００２】
タクシーメータやＥＴＣ車載器等の車載装置においては、走行中に運転者の注意がそれないようにするため、又は、利便性向上のため、それら車載装置の動作を案内する音声を出力する機能が実装されている。
【０００３】
特に、不特定多数の乗客を輸送するタクシー車両においては、高齢者や視覚障害者などの視覚情報の取得が困難な乗客を輸送する場合があり、それら乗客に対して運賃等を案内するために、音声案内機能の搭載要請がある。一例として、国土交通省の定める公共交通機関の車両等に関する移動等円滑化整備ガイドラインでは、音声によって運賃が確認できるような装置をタクシー車両に設置することが推奨されている。そして、この要請に対応すべく、タクシー車両への搭載が必須であるタクシーメータにおいて、運賃の音声案内を実現する提案が特許文献１にて開示されている。
【０００４】
また、近年、ＥＴＣ（Ｅｌｅｃｔｒｏｎｉｃ  Ｔｏｌｌ  Ｃｏｌｌｅｃｔｉｏｎ  Ｓｙｓｔｅｍ；自動料金収受システム）の普及に伴い、ＥＴＣ車載器を搭載するタクシー車両が増加している。このＥＴＣ車載器は、車両の走行中に自動で通行料金の収受を行うものであり、運転者が走行方向への注意を保ちつつＥＴＣ動作を認識できるように、音声によってその動作を案内するようになっている。例えば、料金所を通過した際に支払われた通行料金について「通行料金は○○○円です」等の音声によって運転者に通知する。そして、ＥＴＣ車載器において、この音声案内を実現する提案が特許文献２にて開示されている。
【特許文献１】特開昭５７−７８８号公報
【特許文献２】特開２００７−１１５２８４公報
【発明の開示】
【発明が解決しようとする課題】
【０００５】
しかしながら、タクシーメータとＥＴＣ車載器とを両方搭載したタクシー車両においては、タクシーメータとＥＴＣ車載器とが互いに連動せず、それぞれが非同期に案内音声を出力するため、案内音声の出力が同時に行われたときに、それぞれの案内音声が重なってしまい乗客が音声を聞き取れなくなるという問題があった。
【０００６】
したがって、本発明の目的は、複数の装置から出力される音声の重複を防ぐことができる音声出力集約装置、及び、音声連動システムを提供することにある。
【課題を解決するための手段】
【０００７】
上記課題を解決するため本発明によりなされた請求項１に記載の音声出力集約装置は、図１の基本構成図に示すように、自己の動作に係る自装置音声を出力する音声出力集約装置であって、前記自装置音声とは異なる他装置音声を出力する１又は複数の音声出力装置２０が置かれた所定空間内に配設される音声出力集約装置１０において、前記音声出力装置２０と接続され、前記音声出力装置２０との間で各種信号を送受信するための通信手段１６と、前記通信手段１６を介して、前記音声出力装置２０によって出力される前記他装置音声に係る他装置音声情報を収集する音声情報収集手段１２ａと、前記自装置音声及び前記音声情報収集手段１２ａによって収集された前記他装置音声情報に対応した前記他装置音声を、それぞれが重ならないように予め定められた優先順序で出力する音声出力手段１２ｂと、前記音声出力手段１２ｂによって出力された前記自装置音声及び前記他装置音声の出力異常を検出する異常検出手段１２ｃと、前記異常検出手段１２ｃによって前記出力異常が検出されたとき、前記音声出力手段１２ｂによる前記自装置音声及び前記他装置音声の出力を停止させる異常時音声出力停止手段１２ｄと、前記異常時音声出力停止手段１２ｄによって前記自装置音声及び前記他装置音声の出力が停止されたとき、前記通信手段１６を介して、前記自装置音声を代替出力することが予め定められた前記音声出力装置２０に対し、前記出力が停止された前記自装置音声を出力することを要求する前記自装置音声に係る自装置音声情報を送信する異常時音声情報送信手段１２ｅと、を有し、前記異常検出手段１２ｃが、マイクから入力された前記自装置音声又は前記他装置音声の変換された音声データに当該自装置音声又は当該他装置音声が正常に出力されたときの音声パターンが含まれるか否かによって、前記自装置音声及び前記他装置音声の出力異常を検出するように構成されていることを特徴とするものである。
【０００８】
上記請求項１に記載した本発明の音声出力集約装置１０によれば、通信手段１６を介して接続された音声出力装置２０から、音声出力装置２０によって出力されることになっていた他装置音声に係る他装置音声情報を収集して、音声出力手段１２ｂから自装置音声及び他装置音声を予め定められた優先順序にしたがって出力する。また、音声出力手段１２ｂの音声出力に異常が検出されると、音声出力手段１２ｂからの自装置音声及び他装置音声の出力を停止し、音声出力集約装置１０に代替して出力することが定められた音声出力装置２０に対して、出力を停止した自装置音声に係る自装置音声情報を送信する。また、音声出力の異常は、マイクから入力された自装置音声又は他装置音声の変換された音声データに当該自装置音声又は当該他装置音声が正常に出力されたときの音声パターンが含まれるか否かによって検出する。
【００１１】
請求項２に記載の音声出力集約装置は、図１の基本構成図に示すように、請求項１に記載の音声出力集約装置において、前記自装置音声情報及び前記他装置音声情報が転送されることが予め定められた前記音声出力装置２０を示す転送先音声出力装置情報を格納するための記憶手段１３と、前記記憶手段１３に格納された前記転送先音声出力装置情報に基づいて、前記自装置音声情報及び前記他装置音声情報の転送先となる前記音声出力装置２０を判定する転送先音声出力装置判定手段１２ｆと、前記異常検出手段１２ｃによって前記出力異常が検出されない場合に前記転送先音声出力装置判定手段１２ｆによって前記自装置音声情報及び前記他装置音声情報の転送先となる前記音声出力装置２０が判定されたとき、前記音声出力手段１２ｂによる前記自装置音声及び前記他装置音声の出力を停止させる転送時音声出力停止手段１２ｇと、前記転送時音声出力停止手段１２ｇによって前記自装置音声及び前記他装置音声の出力が停止されたとき、前記通信手段１６を介して、前記転送先と判定された前記音声出力装置２０に対し、前記自装置音声情報及び前記他装置音声情報を送信する転送時音声情報送信手段１２ｈと、を有することを特徴とするものである。
【００１２】
上記請求項２に記載した本発明の音声出力集約装置１０によれば、記憶手段１３に格納された転送先音声出力装置情報に基づいて自装置音声情報の転送先となる音声出力装置２０が判定されると、音声出力手段１２ｂからの自装置音声及び他装置音声の出力を停止し、転送先となる音声出力装置２０に対して、出力を停止した自装置音声に係る自装置音声情報及び他装置音声にかかる他装置音声情報を送信する。
【００１３】
請求項３に記載の音声連動システムは、図１の基本構成図に示すように、請求項１に記載された音声出力集約装置１０と、前記音声出力集約装置１０が出力する前記自装置音声とは異なる他装置音声を出力する音声出力装置側音声出力手段２２ａを有し且つ前記音声出力集約装置１０が配設された所定空間内に位置づけられた１又は複数の音声出力装置２０と、を有し、前記音声出力装置２０が、前記音声出力集約装置１０と接続され且つ前記音声出力集約装置１０との間で各種情報を送受信する音声出力装置側通信手段２６と、前記音声出力集約装置１０との接続を検出する接続検出手段２２ｂと、前記接続検出手段２２ｂによって前記音声出力集約装置１０との接続が検出されたときに前記音声出力装置側音声出力手段２２ａによる前記他装置音声の出力を停止する音声出力装置側音声出力停止手段２２ｃと、前記音声出力装置側音声出力停止手段２２ｃによって前記他装置音声の出力が停止されたときに前記停止された前記他装置音声に係る他装置音声情報を、前記音声出力装置側通信手段２６を介して、前記音声出力集約装置１０に送信する他装置音声情報送信手段２２ｄと、前記音声出力集約装置１０からの前記自装置音声情報を受信する自装置音声情報受信手段と、前記自装置音声情報受信手段によって前記自装置音声情報が受信されたとき、前記音声出力装置側音声出力手段２２ａの出力を再開する出力再開手段と、を有し、前記音声出力装置側音声出力手段２２ａが、前記他装置音声及び前記自装置音声情報受信手段によって受信された前記自装置音声情報に応じた前記自装置音声を出力するように構成されていることを特徴とするものである。
【００１４】
上記請求項３に記載した本発明の音声連動システム１によれば、音声出力装置２０において、音声出力集約装置１０との接続が検出されると、音声出力装置側音声出力手段２２ａからの他装置音声の出力を停止し、音声出力集約装置１０に対して、出力を停止した他装置音声に係る他装置音声情報を送信する。そして、音声出力集約装置１０において、通信手段１６を介して接続された音声出力装置２０から、音声出力装置２０によって出力される他装置音声に係る他装置音声情報を収集して、音声出力手段１２ｂから自装置音声及び他装置音声を優先順序にしたがって出力する。
【発明の効果】
【００１５】
請求項１に記載した本発明の音声出力集約装置によれば、自装置音声とともに音声出力装置側の他装置音声も出力することから、音声出力集約装置及び音声出力装置から出力される各音声を一カ所に集約して出力することができるので、自装置音声と他装置音声とが同時に出力されて重なってしまう状況を回避することができる。そのため、利用者に対して確実に音声を聞かせることができる。また、自装置音声と他装置音声とを所定の優先順序にしたがって出力することから、より重要度の高い音声を優先的に出力することができる。そのため、利用者に対して重要な音声を確実に聞かせることができる。
【００１６】
また、音声出力集約装置の音声出力に異常が生じた場合に、音声出力集約装置に接続された音声出力装置に対して自装置音声情報を送信することから、音声出力集約装置の音声出力が故障したときでも、音声出力装置から自装置音声を出力させることができる。そのため、利用者に対して確実に音声を聞かせることができる。
【００１７】
請求項２に記載した本発明の音声出力集約装置によれば、転送先音声出力装置情報に設定された音声出力装置に対して自装置音声情報及び他装置音声情報を送信することから、例えば、音声出力集約装置及び音声出力装置の配置に応じて、利用者に最も近い位置にある音声出力装置を転送先音声出力装置情報として適宜設定することによって、利用者に近い位置から自装置音声及び他装置音声を出力することができる。そのため、利用者に対して、より確実に音声を聞かせることができる。
【００１８】
請求項３に記載した本発明の音声連動システムによれば、音声出力装置にて出力されることになっていた他装置音声を音声出力集約装置に集約し、音声出力集約装置において自装置音声とともに音声出力装置側の他装置音声も出力することから、音声出力集約装置及び音声出力装置から出力される各音声を一カ所に集約して出力することができるので、自装置音声と他装置音声とが同時に出力されて重なってしまう状況を回避することができる。そのため、利用者に対して確実に音声を聞かせることができる。また、自装置音声と他装置音声とを所定の優先順序にしたがって出力することから、より重要度の高い音声を優先的に出力することができる。そのため、利用者に対して重要な音声を確実に聞かせることができる。また、音声出力集約装置の音声出力に異常が生じた場合に、音声出力集約装置に接続された音声出力装置に対して自装置音声情報を送信することから、音声出力集約装置の音声出力が故障したときでも、音声出力装置から自装置音声を出力させることができる。そのため、利用者に対して確実に音声を聞かせることができる。
【発明を実施するための最良の形態】
【００１９】
以下、本発明に係る音声連動システムの一実施形態について、図２〜図８を参照して説明する。
【００２０】
音声連動システム１は、図２に示すように、タクシー車両内（所定空間内）のセンタパネルに配設されたタクシーメータ１０と、センタパネルの右側面に配設されたＥＴＣ車載器２０と、を備えている。また、ＥＴＣ車載器２０には、フロントウインドウの上部中央に配設されたスピーカ２５ａ内蔵のＥＴＣ無線部２９が、図示しないケーブルによって接続されている。
【００２１】
タクシーメータ１０は、請求項の音声出力集約装置に相当し、図３に示すように、ＲＯＭ１１、中央演算処理装置（ＣＰＵ）１２、ＥＥＰＲＯＭ１３、ＲＡＭ１４、音声ＩＣ１５、スピーカ１５ａ、マイク１５ｂ、外部Ｉ／Ｆ部１６、表示部１７、及び、操作部１８、を備えている。また、タクシーメータ１０は、運行に必要な周辺機器として、乗務員カードやクレジットカードから情報を読み込むためのカードリーダ／ライタ（図示なし）、運賃の領収書等を発行するためのプリンタ（図示なし）、及び、乗車料金の決済等のためのハンディテンキー（図示なし）を備えているが、これら周辺機器については、本発明と直接関係しないため説明は省略する。
【００２２】
ＲＯＭ１１は、ＣＰＵ１２をタクシーメータとして機能させるためのプログラム及び各種制御データ等を格納した読み出し専用のメモリである。
【００２３】
ＣＰＵ１２は、周知の中央演算処理装置であって、ＲＯＭ１１に格納されたプログラムに基づいて、タクシー料金制情報及び走行距離等に基づいた運賃計算、並びに、運行状態に係る情報表示等のタクシーメータとしての機能を実現すると共に、請求項に示す、音声情報収集手段、音声出力手段、異常検出手段、異常時音声出力停止手段、異常時音声情報送信手段、転送先音声出力装置判定手段、転送時音声出力停止手段、及び、転送時音声情報送信手段、として動作するものである。
【００２４】
ＥＥＰＲＯＭ１３は、電気的消去／書き換え可能な読み出し専用のメモリであり、タクシー会社特有のタクシーメータ関連情報や、タクシー料金制に関する情報等が格納されている。また、ＥＥＰＲＯＭ１３は、請求項の記憶手段に相当し、運行案内音声情報及びＥＴＣ案内音声情報（即ち、自装置音声情報及び他装置音声情報）の転送先となる装置の識別情報（即ち、転送先音声出力装置情報）が格納される音声出力装置識別情報領域が設けられている。本実施形態においては、この音声出力装置識別情報領域に転送先となる装置の識別情報が格納されていたとき、転送設定がなされているものとして動作する。また、ＥＥＰＲＯＭ１３には、タクシーメータ１０の案内音声に出力異常が生じたときに、代替して案内音声を出力する装置を示す識別情報を格納する領域が設けられており、その領域にはＥＴＣ車載器２０を示す情報が予め格納されている。
【００２５】
ＲＡＭ１４は、各種のデータを格納するとともにＣＰＵ１２の処理作業に必要なエリアを有する読み出し書き込み自在のメモリである。また、ＲＡＭ１４には、音声出力の異常有無を示す情報が格納されるタクシーメータ音声出力異常情報領域が設けられている。
【００２６】
音声ＩＣ１５は、タクシーメータ筐体の前面に配設されたスピーカ１５ａ及びマイク１５ｂが接続されており、それらから音声を出力・入力するための既存のＩＣである。例えば、「ご乗車ありがとうございます。」、「ご乗車ありがとうございました。運賃は△△△円です。」等のタクシーの運行に係る運行案内音声（請求項の自装置音声に相当）の音声データ、「ＥＴＣカードを挿入してください。」、「カードを確認しました。」、「通行料金は○○○円です。」等のＥＴＣ動作に係るＥＴＣ動作案内音声（請求項の他装置音声に相当）の音声データ、及び、操作部１８のキーを操作したとき等に鳴動させる「ピッ」、「ピピッ」等の入力確認音、エラー音などの効果音データ、を保持しており、ＣＰＵ１２からの出力要求に基づいて、スピーカ１５ａからこれらの案内音声及び効果音を出力する。また、音声ＩＣ１５は、音声出力の異常を検知するために、スピーカ１５ａから出力された音を、マイク１５ｂから入力して、ＣＰＵ１２にて処理可能な音声データに変換するものである。
【００２７】
外部Ｉ／Ｆ部１６は、請求項の通信手段に相当し、シリアルインタフェース、パラレルインタフェース等の既存のインタフェース群を備える部位であり、図示しないカードリーダ／ライタ、プリンタ、及び、ハンディキー等が接続されている。また、タクシー車両の走行距離を算出するための走行パルスを発生する図示しない走行パルスユニットも接続されている。さらに、ＥＴＣ車載器２０がシリアルインタフェースを介して接続され、タクシーメータ１０とＥＴＣ車載器２０との双方向通信を実現している。
【００２８】
表示部１７は、空車、実車、支払、合計、迎車、高速等のタリフ、運賃、及び、時刻情報、などが表示される、ＬＣＤパネル及びその表示制御部からなる既存のＬＣＤ表示ユニットである。
【００２９】
操作部１８は、表示部１７に表示されているタリフの変更や表示情報の切替等を行う際に運転者が押下する図示しない複数のボタンからなり、例えば、実車／空車タリフボタン、高速タリフボタン、支払タリフボタン、表示切替ボタン等を備えており、それらはタクシー運転手により操作しやすいようにタクシーメータ１０の前面に配設されている。
【００３０】
ＥＴＣ車載器２０は、請求項の音声出力装置に相当し、ＲＯＭ２１、中央演算処理装置（ＣＰＵ）２２、ＥＥＰＲＯＭ２３、ＲＡＭ２４、音声ＩＣ２５、スピーカ２５ａ、外部Ｉ／Ｆ部２６、カードスロット２７、操作部２８、及び、ＥＴＣ無線部２９、を備えている。
【００３１】
ＲＯＭ２１は、ＣＰＵ２２をＥＴＣ車載器としての機能させるためのプログラム及び各種制御データ等を格納した読み出し専用のメモリである。
【００３２】
ＣＰＵ２２は、周知の中央演算処理装置であって、ＲＯＭ２１に格納されたプログラムに基づいて、ＥＴＣゲートに設置された無線式の料金処理装置との間で通信を行うことにより通行料金の自動収受に関する処理等を行うＥＴＣ車載器としての機能を実現すると共に、請求項に示す、音声出力装置側音声出力手段、接続検出手段、音声出力装置側音声出力停止手段、及び、他装置音声情報送信手段、として動作するものである。
【００３３】
ＥＥＰＲＯＭ２３は、電気的消去／書き換え可能な読み出し専用のメモリであり、ＥＴＣ車載器２０が搭載されたタクシー車両固有の情報等が格納されている。
【００３４】
ＲＡＭ２４は、各種のデータを格納するとともにＣＰＵ１２の処理作業に必要なエリアを有する読み出し書き込み自在のメモリである。また、ＲＡＭ２４には、タクシーメータ１０から運行案内音声に係る運行案内音声情報を受信したことを示す情報が格納される既受信情報領域が設けられている。
【００３５】
音声ＩＣ２５は、各種音声及び効果音を出力するための既存のＩＣであり、ＥＴＣ無線部２９に内蔵されるスピーカ２５ａが接続されている。また、タクシーメータ１０の音声ＩＣ１５と同一の音声データ及び効果音データを保持しており、ＣＰＵ２２からの出力要求に基づいて案内音声及び効果音を出力する。
【００３６】
外部Ｉ／Ｆ部２６は、請求項の音声出力装置側通信手段に相当し、シリアルインタフェース等の既存のインタフェース群を備える部位であり、タクシーメータ１０がシリアルインタフェースを介して接続され、タクシーメータ１０とＥＴＣ車載器２０との双方向通信を実現している。
【００３７】
カードスロット２７は、通行料金の自動収受を可能とするためのＥＴＣカードが挿入される部位であり、ＥＴＣカードの情報にアクセスするためのリード／ライト部、ＥＴＣカードの情報を暗号化／暗号解除するための暗号ＩＣなどで構成されている。
【００３８】
操作部２８は、カードスロット２７からＥＴＣカードを排出するための排出スイッチ、及び、ＥＥＰＲＯＭ２３に格納されたタクシー車両固有の情報等を書き換えるためのスイッチ等で構成されている。
【００３９】
ＥＴＣ無線部２９は、ＥＴＣゲートに設置された無線式の料金処理装置との間で通信を行うためのユニットであり、ＥＴＣ車載器２０本体とは分離され、その間を図示しない同軸ケーブル等で接続されている。また、ＥＴＣ無線部２９は、無線通信アンテナ、通信制御部、及び、音声ＩＣ２５に接続されたスピーカ２５ａを内蔵して構成されており、図２に示すように、ＥＴＣ無線部２９のケース表面には小径の穴が設けられており、その内側にスピーカ２５ａが配設され、その対向する面の内側に無線通信アンテナが配設されており、スピーカ２５ａを車内側に向け、無線通信アンテナを車外側に向けて、タクシー車両のフロントウインドウ上部中央に取り付けられている。
【００４０】
次に、タクシーメータ１０のＣＰＵ１２が実行する本発明に係る処理概要の一例を、図４のフローチャートを参照して説明する。
【００４１】
タクシーメータ１０への電源投入によりＣＰＵ１２が起動し、ＲＡＭ１４に設けられたタクシーメータ音声出力異常情報領域に「異常なし」を示す情報を設定する等の所定の初期化処理を実行したのち、ステップＳ１１０に進む。
【００４２】
ステップＳ１１０では、運行状態の変化に伴って通知される、運行案内音声の出力を要求する運行案内音声情報（請求項の自装置音声情報に相当）、または、ＥＴＣ車載器２０から受信する、ＥＴＣ案内音声の出力を要求するＥＴＣ案内音声情報（請求項の他装置音声情報に相当）、の有無を判定し、いずれかの案内音声情報が「あり」と判定したときは、ステップＳ１２０に進み（Ｓ１１０でＹ）、案内音声情報が「なし」と判定したときは、該案内音声情報が通知されるまで、ステップＳ１１０を繰り返し実行する（Ｓ１１０でＮ）。
【００４３】
ステップＳ１２０では、タクシーメータ１０の音声出力機能に異常が生じているか否かを判定する。詳細には、ＲＡＭ１４に設けられたタクシーメータ音声出力異常情報領域を参照し、「異常あり」を示す情報が格納されていたときは、ステップＳ１５０に進み（Ｓ１２０でＹ）、「異常なし」を示す情報が格納されていたときは、ステップＳ１３０に進む（Ｓ１２０でＮ）。
【００４４】
ステップＳ１３０では、ＥＴＣ車載器２０に対して案内音声情報を転送する設定がされているかを判定する。詳細には、ＥＥＰＲＯＭ１３に設けられた音声出力装置識別情報領域を参照し、ＥＴＣ車載器２０を示す識別情報が格納されていたときは、転送設定ありとして、つまり、ＥＴＣ車載器にて案内音声を出力するものとしてステップＳ１５０に進み（Ｓ１３０でＹ）、ＥＴＣ車載器２０を示す識別情報が格納されていないときは、転送設定なしとして、つまり、タクシーメータにて案内音声を出力するものとしてステップＳ１６０に進む（Ｓ１３０でＮ）。
【００４５】
ステップＳ１５０では、タクシーメータ１０に代替してＥＴＣ車載器２０において各案内音声を出力するために、ステップＳ１１０で「あり」と判定した運行案内音声情報及びＥＴＣ案内音声情報を予め定められた送信先に対して運行案内音声情報として送信する。即ち、案内音声に出力異常が生じた場合、又は、転送設定されている場合、それぞれ送信先（転送先）としてＥＥＰＲＯＭ１３に格納されている情報に基づいて送信を行う。本実施形態においては、一対一接続であるため、常に送信先はＥＴＣ車載器２０となる。そして、ステップＳ１１０に進み、次の案内音声情報に係る処理を行う。
【００４６】
ステップＳ１６０では、音声ＩＣ１５の動作状態等により運行案内音声が出力中であるか否かを判定する。運行案内音声が出力中であるときは、現在出力中の運行案内音声を優先し、その出力を中断しないように、運行案内音声の出力が終了するまで待ち（Ｓ１６０でＹ）、運行案内音声の出力がないときは、ステップＳ１７０に進む（Ｓ１６０でＮ）。
【００４７】
ステップＳ１７０では、案内音声情報に対応した案内音声を出力することを音声ＩＣ１５に要求する。そして、ステップＳ１８０に進む。
【００４８】
ステップＳ１８０では、ステップＳ１７０で出力した案内音声が正常に出力されているか確認する。詳細には、マイク１５ｂから入力され、音声ＩＣ１５において変換された案内音声のデータを解析し、案内音声が正常に出力されたときに含まれる音声パターンが、該データに含まれるか判定を行い、含まれなかったときは、タクシーメータ音声出力異常情報領域に「異常有り」を示す情報を格納する。そして、出力異常が生じた案内音声をＥＴＣ車載器２０において出力するために、ＥＴＣ車載器２０に対して出力異常の有った案内音声に係る案内音声情報がステップＳ１１０で再度処理されるように、該案内音声情報を自身に通知する。そして、ステップＳ１１０に進み、次の案内音声情報に係る処理を行う。
【００４９】
なお、本フローチャートのステップＳ１１０が、請求項の音声情報収集手段に相当し、ステップＳ１６０、Ｓ１７０が、請求項の音声出力手段に相当し、ステップＳ１８０が、請求項の異常検出手段に相当し、ステップＳ１２０が、請求項の異常時音声出力停止手段に相当し、ステップＳ１３０が、請求項の転送先音声出力装置判定手段及び転送時音声出力停止手段に相当し、ステップＳ１５０が、請求項の請求項の異常時音声情報送信手段及び転送時音声情報送信手段に相当する、ものである。
【００５０】
次に、ＥＴＣ車載器２０のＣＰＵ２２が実行する本発明に係る処理概要の一例を、図５のフローチャートを参照して説明する。
【００５１】
ＥＴＣ車載器２０への電源投入によりＣＰＵ２２が起動し、ＲＡＭ２４に設けられた既受信情報領域に「受信なし」を示す情報を設定する等の所定の初期化処理を実行したのち、ステップＳ２１０に進む。
【００５２】
ステップＳ２１０では、ＥＴＣ動作状態の変化に伴って通知される、ＥＴＣ案内音声の出力を要求するＥＴＣ案内音声情報、または、タクシーメータ１０から受信する、運行案内音声の出力を要求する運行案内音声情報、の有無を判定し、いずれかの案内音声情報が「あり」と判定したときは、ステップＳ２２０に進み（Ｓ２１０でＹ）、案内音声情報が「なし」と判定したときは、該案内音声情報が通知されるまで、ステップＳ２１０を繰り返し実行する（Ｓ２１０でＮ）。
【００５３】
ステップＳ２２０では、ステップＳ２１０で「あり」と判定した案内音声情報が、タクシーメータ１０から受信した運行案内音声情報であるか否かを判定する。運行案内音声情報のときは、既受信情報領域に「受信有り」を示す情報を格納したのち、ステップＳ２６０に進み（Ｓ２２０でＹ）、運行案内音声情報でないときは、ステップＳ２３０に進む（Ｓ２２０でＮ）。
【００５４】
ステップＳ２３０では、タクシーメータ１０が接続されているかを確認する。詳細には、タクシーメータ１０が接続された外部Ｉ／Ｆ部２６のシリアルインタフェースにおける端子電圧又はタクシーメータ１０からの接続確認要求信号の受信等により接続を判定し、「接続あり」と判定したときは、ステップＳ２４０に進み（Ｓ２３０でＹ）、「接続なし」と判定したときは、ステップＳ２６０に進む（Ｓ２３０でＮ）。
【００５５】
ステップＳ２４０では、タクシーメータ１０から送信される運行案内音声情報を以前に受信しているか否かを判定し、運行案内音声情報を以前に受信していたときは、タクシーメータ１０の案内音声の出力に異常が生じているか、または、ＥＴＣ車載器２０への転送設定がされているか、のいずれかであるため、その受信以降は、ＥＴＣ車載器２０にて運行案内音声及びＥＴＣ案内音声の出力を行うものと判定する。詳細には、既受信情報領域に「受信あり」を示す情報が格納されていたときは、ＥＴＣ車載器２０で案内音声を出力するものとして、ステップＳ２６０に進み（Ｓ２４０でＹ）、「受信なし」を示す情報が格納されていたときは、タクシーメータ１０で案内音声を出力するものとして、ステップＳ２５０に進む（Ｓ２４０でＮ）。
【００５６】
ステップＳ２５０では、タクシーメータ１０にてＥＴＣ案内音声を出力するために、タクシーメータ１０に対し、ステップＳ２１０で「有り」と判定したＥＴＣ案内音声情報を送信する。そして、ステップＳ２１０に進み、次の案内音声情報に係る処理を行う。
【００５７】
ステップＳ２６０では、音声ＩＣ１５の動作状態等により運行案内音声が出力中であるか否かを判定する。運行案内音声が出力中であるときは、現在出力中の運行案内音声を優先し、その出力を中断しないように、運行案内音声の出力が終了するまで待ち（Ｓ２６０でＹ）、運行案内音声の出力がないときは、ステップＳ２７０に進む（Ｓ２６０でＮ）。
【００５８】
ステップＳ２７０では、案内音声情報に対応した案内音声を出力することを音声ＩＣ２５に要求する。そして、ステップＳ２１０に進み、次の案内音声情報に係る処理を行う。
【００５９】
なお、本フローチャートのステップＳ２６０、Ｓ２７０が、請求項の音声出力装置側音声出力手段に相当し、ステップＳ２３０が、請求項の接続検出手段及び音声出力装置側音声出力停止手段に相当し、ステップＳ２５０が、請求項の他装置音声情報送信手段に相当する、ものである。また、ステップＳ２１０が、タクシーメータ１０（即ち、音声出力収集装置）からの運行案内音声情報（即ち、自装置音声情報）を受信する自装置音声情報受信手段として機能し、ステップＳ２２０、Ｓ２４０が、出力が停止された音声出力装置側音声出力手段の出力を再開させる出力再開手段として機能する、ものである。
【００６０】
次に、上述した音声連動システム１における、本発明に係る音声連動処理（動作）の一例を、図６〜図８に示すシーケンス図を参照して説明する。
【００６１】
図６はタクシーメータ１０の音声出力正常時のシーケンス動作例を示している。また、ＥＴＣ車載器２０への転送設定はされていない。
【００６２】
（処理１）タクシーメータ１０及びＥＴＣ車載器２０が共に電源ＯＮされると、タクシーメータ１０からＥＴＣ車載器２０に対して、ＥＴＣ車載器２０が正常に接続されていることを確認するための、「ＥＴＣ接続確認要求」信号が送信される。そして、ＥＴＣ車載器２０からタクシーメータ１０に対して、この信号に対する応答として、「ＥＴＣ接続確認応答」信号が送信される。これら信号の送受信により、タクシーメータ１０及びＥＴＣ車載器２０は、互いに正常に接続されていることを認識する。
【００６３】
（処理２）次に、タクシーメータ１０からＥＴＣ車載器２０に対して、利用者にＥＴＣカード挿入を促すための案内音声情報を要求する「ＥＴＣカード挿入案内音声情報要求」信号が送信される。そして、ＥＴＣ車載器２０から、この信号に対する応答として、「ＥＴＣカード挿入案内音声情報」信号が送信される。
【００６４】
（処理３ａ）次に、タクシーメータ１０において、ＥＴＣ車載器２０から受信したＥＴＣカード挿入案内音声情報に対応した案内音声（「ＥＴＣカードを挿入してください。」）が出力される（このとき、案内音声の出力は正常と判定されたものとする）。
【００６５】
（処理４ａ）次に、ＥＴＣ車載器２０のカードスロット２７に、ＥＴＣカードが挿入されると、ＥＴＣ車載器２０からタクシーメータ１０に対して「ＥＴＣカード認識案内音声情報」信号が送信される。そして、タクシーメータ１０において、ＥＴＣカード認識案内音声情報に対応する案内音声（「カードを確認しました。」）が出力される。そして、タクシー車両が、順に、ＥＴＣ入口ゲート及びＥＴＣ出口ゲートを通過すると、ＥＴＣ車載器２０から「ＥＴＣ通行料金案内音声情報」信号が送信される。そして、タクシーメータ１０において、ＥＴＣ通行料金案内音声情報に対応する案内音声（「通行料金は○○○円です。」）が出力される。そして、タクシー車両から乗客が降車するとき、タクシーメータ１０において、運賃案内音声（「ご乗車ありがとうございました。運賃は△△△円です。」）が出力される。
【００６６】
図７はタクシーメータ１０の音声出力異常時のシーケンス動作例を示している。また、ＥＴＣ車載器２０への転送設定はされていない。なお、処理１及び処理２については、図６と同様であるため、説明を省略する。
【００６７】
（処理３ｂ）タクシーメータ１０において、ＥＴＣ車載器２０から受信したＥＴＣカード挿入案内音声情報に対応する案内音声（「ＥＴＣカードを挿入してください。」）が出力される。このとき、例えば、スピーカ１５ａから音声が出力されない等、案内音声の出力に異常が検出されると、タクシーメータ１０からＥＴＣ車載器２０に対して、処理２で受信した「ＥＴＣカード挿入案内音声情報」信号が送信される。そして、ＥＴＣ車載器２０において、ＥＴＣカード挿入案内音声情報に対応する案内音声（「ＥＴＣカードを挿入してください」）が出力される。
【００６８】
（処理４ｂ）次に、ＥＴＣ車載器２０のカードスロット２７に、ＥＴＣカードが挿入されると、ＥＴＣ車載器２０において、ＥＴＣカード認識案内音声（「カードを確認しました。」）が出力される。そして、タクシー車両が、順に、ＥＴＣ入口ゲート及びＥＴＣ出口ゲートを通過すると、ＥＴＣ車載器２０において、ＥＴＣ通行料金案内音声（「通行料金は○○○円です。」）が出力される。そして、タクシー車両から乗客が降車するとき、タクシーメータ１０の音声出力に異常が検出されていることにより、タクシーメータ１０からＥＴＣ車載器２０に対して「運賃案内音声情報」信号が送信される。そして、ＥＴＣ車載器２０において、運賃案内音声情報に対応した案内音声（「ご乗車ありがとうございました。運賃は△△△円です。」）が出力される。
【００６９】
図８はタクシーメータ１０の音声出力正常時のシーケンス動作例を示しており、ＥＴＣ車載器２０への転送設定がされている。なお、処理１、処理２、については、図６と同様であるため、説明を省略する。
【００７０】
（処理３ｃ）ＥＴＣ車載器２０への転送設定がされているとき、タクシーメータ１０において、ＥＴＣ車載器２０からＥＴＣカード挿入案内音声情報を受信すると、タクシーメータ１０からＥＴＣ車載器２０に対して、処理２で受信した「ＥＴＣカード挿入案内音声情報」信号が送り返される。そして、ＥＴＣ車載器２０において、ＥＴＣカード挿入案内音声情報に対応する案内音声（「ＥＴＣカードを挿入してください」）が出力される。
【００７１】
（処理４ｃ）次に、ＥＴＣ車載器２０のカードスロット２７に、ＥＴＣカードが挿入されると、ＥＴＣ車載器２０において、ＥＴＣカード認識案内音声（「カードを確認しました。」）が出力される。そして、タクシー車両が、順に、ＥＴＣ入口ゲート及びＥＴＣ出口ゲートを通過すると、ＥＴＣ車載器２０において、ＥＴＣ通行料金案内音声（「通行料金は○○○円です。」）が出力される。そして、タクシー車両から乗客が降車するとき、ＥＴＣ車載器２０への転送設定がされていることから、タクシーメータ１０からＥＴＣ車載器２０に対して「運賃案内音声情報」信号が送信される。そして、ＥＴＣ車載器２０において、運賃案内音声情報に対応した案内音声として（「ご乗車ありがとうございました。運賃は△△△円です。」）を出力する。
【００７２】
なお、ＥＴＣ車載器２０から送信される「ＥＴＣカード挿入案内音声情報」、「ＥＴＣカード認識案内音声情報」、及び、「ＥＴＣ通行料金案内音声情報」はＥＴＣ案内音声情報に相当する。また、タクシーメータ１０から送信される「ＥＴＣカード挿入案内音声情報」、及び、「運賃案内音声情報」は運行案内音声情報に相当する。
【００７３】
以上より、本実施形態によれば、タクシーメータ１０において、運行案内音声とともにＥＴＣ車載器２０のＥＴＣ案内音声も出力することから、タクシーメータ１０及びＥＴＣ車載器２０から出力される各案内音声を一カ所に集約して出力することができるので、運行案内音声とＥＴＣ案内音声とが同時に出力されて重なってしまう状況を回避することができる。そのため、乗客（利用者）に対して確実に音声を聞かせることができる。また、運行案内音声をＥＴＣ案内音声より優先して出力することから、運賃案内音声等のより重要度の高い案内音声を優先的に出力することができる。そのため、乗客に対して重要な音声を確実に聞かせることができる。
【００７４】
また、タクシーメータ１０の音声出力に異常が生じた場合に、タクシーメータ１０に接続されたＥＴＣ車載器２０に対して運行案内音声情報を送信し、ＥＴＣ車載器２０において、該運行案内音声情報に対応した運行案内音声を出力することから、通常、タクシーメータの音声出力機構が故障してしまったときは、音声案内ができなくなってしまうが、本実施形態では、タクシーメータ１０の音声出力が故障したときに、それに代替してＥＴＣ車載器２０から運行案内音声を出力させることができる。そのため、乗客に対して確実に音声を聞かせることができる。
【００７５】
また、タクシーメータ１０が、転送先として設定されたＥＴＣ車載器２０に対して運行案内音声情報を送信し、ＥＴＣ車載器２０において運行案内音声情報を出力することから、例えば、ＥＴＣ車載器２０が乗客により近い位置にあるときに、ＥＴＣ車載器２０への転送設定をすることで、乗客者に近い位置から運行案内音声を出力することができる。そのため、乗客に対して、より確実に音声を聞かせることができる。
【００７６】
なお、本実施形態においては、タクシーメータ１０を音声出力集約装置、ＥＴＣ車載器２０を音声出力装置とする音声連動システムを示すものであったが、これに限らず、例えば、ＥＴＣのスピーカが利用者により聞こえやすい位置に配設されることが予め判明している場合などは、ＥＴＣ車載器を音声出力集約装置、タクシーメータを音声出力装置とする、本実施形態とは逆の構成の音声連動システムとしてもよい。
【００７７】
また、本実施形態においては、タクシーメータ１０とＥＴＣ車載器２０とが、一対一で接続された構成であったが、例えば、タクシーメータを音声出力集約装置、ＥＴＣ車載器及びカーオーディオ装置を音声出力装置とするなどして、一対多の構成としてもよい。その場合において、例えば、カーオーディオ装置を転送先とする転送設定がされていたときは、一旦タクシーメータに各案内音声情報を集約して、改めてカーオーディオ装置に転送する動作、または、各音声出力装置が相互に接続されているのであれば、音声出力集約装置から各音声出力装置に対して転送先となる音声出力装置を示す情報を通知し、音声出力装置間で直接転送する動作とするなど、実装は任意である。
【００７８】
また、本実施形態においては、運行案内音声が出力中であるときは、現在出力中の運行案内音声を優先し、その出力を中断しないように、運行案内音声の出力が終了するまで待ち、運行案内音声の出力がないとき（ＥＴＣ案内音声出力中も含まれる）は、現在処理中の案内音声情報に対応した案内音声を出力するが、これに限らず、例えば、運行案内音声情報及びＥＴＣ案内音声情報を入れる優先度付き待ち行列を実装し、案内音声の種別にかかわらずその出力終了を待ち、出力終了時点で優先度の高いものが待ち行列に入っているときはそれを優先し、優先度が同じであれば先入れ先出しする処理としてもよい。このようにすることで、案内音声情報を連続して処理するときに、出力中の案内音声を中断することなく、優先度の高い案内音声（例えば、運行案内音声）を優先して処理することが可能となる。
【００７９】
また、本実施形態においては、タクシーメータ１０から送信される運行案内音声出力要求を受信したときに、ＥＴＣ車載器２０が、タクシーメータ１０の出力異常、又は、転送設定を認識するものであったが、これに限らず、タクシーメータから音声出力異常を示す異常通知情報、又は、転送設定を示す転送設定情報を送信するなどして、ＥＴＣ車載器に上記出力異常、又は、転送設定を認識させるようにしてもよい。このようにすることで、ＥＴＣ車載器２０（即ち、音声出力装置）が確実にタクシーメータ１０の状態を認識することができる。
【００８０】
また、本実施形態においては、ＥＥＰＲＯＭ１３に予め転送設定（転送先音声出力装置情報）を記憶しておくものであったが、これに限定するものではなく、例えば、乗客の有無及び乗車位置を判定するなどして、転送先となる音声出力装置を動的に変更する構成としてもよい。その場合は、乗客の乗車位置を判定するための利用者位置検出センサ（椅子の下に配設される荷重センサ、天井に配設される超音波センサ等）などを設ける必要がある。
【００８１】
また、本実施形態においては、タクシーメータ１０に案内音声を集約して出力させることで、案内音声が重なることによる不都合を回避するものであったが、これ以外にも、案内音声を集約せずに、タクシーメータ１０及びＥＴＣ車載器２０、並びに、乗客、のそれぞれの位置関係を認識し、タクシーメータ１０及びＥＴＣ車載器２０が出力する案内音声の音量を調整して、前記不都合を回避する構成も考えられる。例えば、支払いを行う乗客がＥＴＣ車載器２０の近くに座っている場合等の状況を判断して、より重要な運行案内音声を出力するタクシーメータ１０の音量を上げ、ＥＴＣ車載器２０の音量を下げて、運行案内音声をより聞こえやすくする構成などがある。
【００８２】
また、本実施形態においては、タクシー車両に搭載される装置で構成される音声連動システムについて記載したが、これに限定するものではなく、例えば、屋内に置かれた複数のＡＶ装置からなるＡＶシステム等に適用してもよい。
【００８３】
なお、上述した各実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００８４】
【図１】本発明に係る音声出力集約装置、音声連動システムの基本構成を示す図である。
【図２】本発明の一実施形態の音声連動システムの配設位置を示す図である。
【図３】本発明の一実施形態の音声連動システムの構成図である。
【図４】図２のＣＰＵ１２が実行する本発明に係る処理概要の一例を示すフローチャートである。
【図５】図２のＣＰＵ２２が実行する本発明に係る処理概要の一例を示すフローチャートである。
【図６】音声連動システムにおける、本発明の音声出力正常時（転送設定なし）のシーケンスの一例を示す図である。
【図７】音声連動システムにおける、本発明の音声出力異常時（転送設定なし）のシーケンスの一例を示す図である。
【図８】音声連動システムにおける、本発明の音声出力正常時（転送設定あり）のシーケンスの一例を示す図である。
【符号の説明】
【００８５】
１      音声連動システム
１０    音声出力集約装置（タクシーメータ）
１２ａ  音声情報収集手段（ＣＰＵ）
１２ｂ  音声出力手段（ＣＰＵ）
１６    通信手段（外部Ｉ／Ｆ部）
２０    音声出力装置（ＥＴＣ車載器）
２２ａ  音声出力装置側音声出力手段（ＣＰＵ）
２２ｂ  接続検出手段（ＣＰＵ）
２２ｃ  音声出力装置側音声出力停止手段（ＣＰＵ）
２２ｄ  他装置音声情報送信手段（ＣＰＵ）
２６    音声出力装置側通信手段（外部Ｉ／Ｆ部）
【図１】
0005134337.tif 000002
【図２】
0005134337.tif 000003
【図３】
0005134337.tif 000004
【図４】
0005134337.tif 000005
【図５】
0005134337.tif 000006
【図６】
0005134337.tif 000007
【図７】
0005134337.tif 000008
【図８】
0005134337.tif 000009